(57)【要約】【課題】ユーザの通話の機会を損なうことなく、ユーザが使用していない状態での電話機の消費電力を削減する。【解決手段】主装置１０は、電話機２０からの省電力動作モードへの移行通知を受信または省電力動作モード開始時刻になった場合、電話機２０への給電を通常時の電力から所定の最小限の電力に減少させるとともに、電話機２０からの通常動作モードへの移行通知を受信または省電力動作モード終了時刻になった場合、電話機２０への給電を通常時の電力に増加させる省電力制御手段１２と、電話機２０からの省電力動作モードへの移行通知を受信または省電力動作モード開始時刻になった場合、電話機２０に対してあらかじめ設定した省電力時動作を行うように制御するとともに、電話機２０からの通常動作モードへの移行通知を受信または省電力動作モード終了時刻になった場合、電話機２０に対して通常動作を行うように制御する連動制御手段１４と、を有する。【選択図】図１
2011124768.tif 000002
【特許請求の範囲】
【請求項１】
主装置と複数の電話機とを有するボタン電話システムであって、
前記主装置は、
前記電話機からの省電力動作モードへの移行通知を受信した場合、または省電力動作モード開始時刻になった場合、前記電話機への給電を通常時の電力から所定の最小限の電力に減少させるとともに、前記電話機からの通常動作モードへの移行通知を受信した場合、または省電力動作モード終了時刻になった場合、前記電話機への給電を前記所定の最小限の電力から前記通常時の電力に増加させる省電力制御手段と、
前記電話機からの省電力動作モードへの移行通知を受信した場合、または省電力動作モード開始時刻になった場合、前記電話機に対してあらかじめ設定した省電力時動作を行うように制御するとともに、前記電話機からの通常動作モードへの移行通知を受信した場合、または省電力動作モード終了時刻になった場合、前記電話機に対して通常動作を行うように制御する連動制御手段と、を有すること
を特徴とするボタン電話システム。
【発明の詳細な説明】
【技術分野】
【０００１】
本発明は、主装置と電話機とを備えるボタン電話システムに関し、特に、省電力動作を行うボタン電話システムに関する。
【背景技術】
【０００２】
従来のボタン電話システムでは、主装置および電話機は、常に電源をＯＮの状態にしている。主装置は、当該主装置に接続された回線の発信および着信などの呼制御を行い、電話機は、ユーザの操作の検出、通話などを行う。また、ボタン電話システムでは、留守番電話（ボイスメール）や他の電話機への転送を行う場合、主装置側の機能として、主装置が備える録音装置に録音し、また所定の電話機への転送を行う。
【０００３】
なお、特許文献１には、留守設定時の着信に対して自動応答し、相手音声の録音および管理を行うとともに、転送機能を有する留守番電話機が記載されている。
【先行技術文献】
【特許文献】
【０００４】
【特許文献１】特開２００１−１１９４７１号公報
【発明の概要】
【発明が解決しようとする課題】
【０００５】
従来のボタン電話システムでは、夜間や離席などで電話機を使用していない状態であっても、常に主装置から電話機に給電が行われ、電力を消費している。また、留守番電話の設定や他の電話機へ転送設定などをしている場合、当該電話機には着信されず通話が行われないにもかかわらず、主装置から当該電話機への給電が行われ、電力を消費している。
【０００６】
本発明は上記事情に鑑みてなされたものであり、本発明の目的は、ユーザの通話の機会を損なうことなく、ユーザが使用していない状態での電話機の消費電力を削減することにある。
【課題を解決するための手段】
【０００７】
上記目的を達成するため、本発明は、主装置と複数の電話機とを有するボタン電話システムであって、前記主装置は、前記電話機からの省電力動作モードへの移行通知を受信した場合、または省電力動作モード開始時刻になった場合、前記電話機への給電を通常時の電力から所定の最小限の電力に減少させるとともに、前記電話機からの通常動作モードへの移行通知を受信した場合、または省電力動作モード終了時刻になった場合、前記電話機への給電を前記所定の最小限の電力から前記通常時の電力に増加させる省電力制御手段と、前記電話機からの省電力動作モードへの移行通知を受信した場合、または省電力動作モード開始時刻になった場合、前記電話機に対してあらかじめ設定した省電力時動作を行うように制御するとともに、前記電話機からの通常動作モードへの移行通知を受信した場合、または省電力動作モード終了時刻になった場合、前記電話機に対して通常動作を行うように制御する連動制御手段と、を有する。
【発明の効果】
【０００８】
本発明によれば、ユーザの通話の機会を損なうことなく、ユーザが使用していない状態での電話機の消費電力を削減することができる。
【図面の簡単な説明】
【０００９】
【図１】本発明の実施形態に係るボタン電話システムの構成図である。
【図２】電話機側の操作指示により省電力動作モードへ移行する場合の主装置および電話機の機能構成を示すブロック図である。
【図３】電話機側の操作指示により、通常動作モードから省電力動作モードに、さらに通常動作モードに移行する動作シーケンス図である。
【図４】主装置側の制御により省電力動作モードへ移行する場合の主装置および電話機の機能構成を示すブロック図である。
【図５】主装置側の制御により、通常動作モードから省電力動作モードに、さらに通常動作モードに移行する動作シーケンス図である。
【図６】省電力動作モード時の主装置の動作フローである。
【発明を実施するための形態】
【００１０】
以下、本発明の実施形態について説明する。
【００１１】
図１は、本発明の実施形態に係るボタン電話システムの全体構成図である。図示するボタン電話システムは、主装置１０と、当該主装置１０に接続されたボタン電話機（以下、「電話機」）２０とを有する。図示する例では、１つの電話機２０しか記載されていないが、複数の電話機が主装置１０に接続されているものとする。ボタン電話システムは、複数の電話機で、所定数の電話回線を共用できるようにするものである。
【００１２】
本実施形態の電話機２０は、省電力動作モードの開始指示および終了指示を入力するための入力手段を有する。例えば、ディスプレイ２Ａを手前に倒して折り畳みディスプレイ２Ａの表示内容を見えなくする（以下、「格納する」という）ことにより、省電力動作モード開始指示を検知する検知機構が動作し（例えば、図示しないスイッチ等が押下され）、省電力動作モードへの移行指示が入力される。また、格納されたディスプレイ２Ａを起こして立ち上げて、ディスプレイ２Ａの表示内容を見えるようにする（以下、「展開する」という）ことにより、省電力動作モード終了指示を検知する検知機構が動作し（例えば、図示しないスイッチ等が押下され）、通常動作モードへの移行指示（省電力動作モードの終了指示）が入力される。
【００１３】
あるいは、省電力ＯＦＦ状態で省電力ＯＮ／ＯＦＦボタン２Ｂを押下することにより省電力動作モードへの移行指示を入力し、また、省電力ＯＮ状態で省電力ＯＮ／ＯＦＦボタン２Ｂを押下することにより通常動作モードへの移行指示を入力することとしてもよい。このように、本実施形態では、電話機２０に入力されたユーザの操作指示により、主装置１０および電話機２０を省電力動作モードに移行することができる。また、本実施形態では、後述する主装置１０側からの制御によっても、主装置１０および電話機２０を省電力動作モードに移行することができる。
【００１４】
なお、主装置１０は、少なくともＣＰＵ、メモリ、ＨＤＤ等の外部記憶装置などを備えた汎用的なコンピュータシステムを用いることができる。このコンピュータシステムにおいて、ＣＰＵがメモリ上にロードされた主装置１０用のプログラムを実行することにより、主装置１０の各機能が実現される。
【００１５】
図２は、電話機側での操作指示により省電力動作モードへ移行する場合の主装置１０および電話機２０の機能構成を示すブロック図である。
【００１６】
電話機２０は、電話機処理部２１と、省電力制御部２２とを有する。電話機処理部２１は、一般的なボタン電話機の機能を有するとともに、ユーザが入力した省電力動作モードへの移行（開始）操作を検知し、省電力制御部２２に通知する。省電力制御部２２は、当該操作の通知を受け付けると、主装置１０へ省電力動作モード移行通知を送信するとともに、当該電話機２０を省電力動作モードに移行する。省電力動作モードのときは、通常動作モードへの移行操作（例えば、ディスプレイ２Ａの展開、省電力ＯＮ／ＯＦＦボタン２Ｂの押下など）の検出、または、主装置１０からの通常動作モードへの移行通知の受信など、通常動作モードへの移行（復帰）に必要な最小限の機能だけを動作させる。
【００１７】
主装置１０は、主装置処理部１１と、省電力制御部１２と、給電回路１３と、連動制御部１４とを有する。主装置処理部１１は、一般的なボタン電話システムにおいて主装置が行う処理（呼制御処理、転送処理等）を行う。給電回路１３は、電話機２０に電力を供給する。
【００１８】
省電力制御部１２は、電話機２０からの省電力動作モードへの移行通知を受信すると、給電回路１３に当該電話機２０への給電を最小限にするよう指示するとともに、連動制御部１４に当該電話機２０の省電力動作モードへの移行を指示する。
【００１９】
連動制御部１４は、当該電話機２０に対してあらかじめ設定された省電力動作モードにおける省電力時動作を、当該電話機２０に対して行うように主装置処理部１１に指示する。省電力動作としては、例えば、当該電話機２０への着信を、留守番電話（ボイスメール）、または所定の他の電話機に転送することなどが考えられる。なお、主装置１０内の記憶部（不図示）には、電話機毎の個別の省電力時動作が記憶されているものとする。
【００２０】
図３は、電話機２０に入力された操作指示により、通常動作モードから省電力動作モードに移行し、さらに省電力動作モードから通常動作モードに移行する動作シーケンス図である。
【００２１】
通常動作モードにおいて、電話機２０の電話機処理部２１は、ディスプレイ２Ａを格納、または省電力ＯＮ／ＯＦＦボタン２Ｂの押下などの、ユーザの省電力動作モードへの移行操作を受け付ける（Ｓ１１）。
【００２２】
これにより、電話機２０の省電力制御部２２は、省電力動作モード移行通知を主装置１０に送信し（Ｓ１２）、主装置１０の省電力制御部１２は、省電力モード移行応答を当該電話機２０に送信する（Ｓ１３）。Ｓ１３の応答を受信した電話機２０の省電力制御部２２は、電話機２０を省電力動作モードに移行する（Ｓ１６）。すなわち、当該電話機２０に入力される通常動作モードへの移行操作の検出、主装置１０からの通常動作モードへの移行通知を受信し応答するなど、通常動作モードへの移行に必要な最小限の動作のみ行う。
【００２３】
主装置１０の省電力制御部１２は、Ｓ１３で省電力動作モード移行応答を送信した後、給電回路１３を制御して、省電力動作モード移行通知を送信した電話機２０への給電をあらかじめ定めた最小限の電力に低減する（Ｓ１４）。これにより、給電回路１３は、所定の最低限の電力を当該電話機２０に供給する。
【００２４】
また、主装置１０の連動制御部１４は、当該電話機２０に対してあらかじめ設定された省電力動作モードにおける省電力動作を、当該電話機２０に対して行うように主装置処理部１１に指示し、これにより省電力動作モードへ移行する（Ｓ１５）。例えば、当該電話機２０への着信を、留守番電話（ボイスメール）、または所定の他の電話機に転送するように指示することが考えられる。
【００２５】
Ｓ１１からＳ１６までの処理により、当該電話機２０は省電力モードで動作し、主装置１０も当該電話機２０に対しては省電力動作モード（最小限の給電、所定の省電力動作）で動作する（Ｓ１７）。
【００２６】
この省電力動作モードにおいて、当該電話機２０の電話機処理部２１は、ユーザの通常動作モードへの移行操作（ディスプレイ２Ａの展開、または省電力ＯＮ／ＯＦＦボタン２Ｂの押下など）を受け付ける（Ｓ１８）。これにより、当該電話機２０の省電力制御部２２は、通常動作モード移行通知を主装置１０に送信し（Ｓ１９）、主装置１０の省電力制御部１２は、通常動作モード移行応答を当該電話機２０に送信する（Ｓ２０）。
【００２７】
Ｓ２０の応答を受信した当該電話機２０の省電力制御部２２は、電話機２０を通常動作モードに移行する（Ｓ２３）。すなわち、当該電話機２０の電話機処理部２１は、一般的な電話機の通常動作を行う。
【００２８】
主装置１０の省電力制御部１２は、給電回路１３を制御することにより、当該電話機２０への給電を、Ｓ１４の最低限の電力量から通常の電力量に戻す（Ｓ２１）。また、主装置１０の連動制御部１４は、当該電話機２０に対して通常動作モードにおける処理を提供するように主装置処理部１１を指示し、通常動作モードへ移行する。（Ｓ２２）。
【００２９】
以上Ｓ１８からＳ２３までの処理により、当該電話機２０は通常動作モードで動作し、主装置１０も当該電話機２０に対して通常動作モードで動作する（Ｓ２４）。
【００３０】
図４は、主装置側での制御により省電力動作モードへ移行する場合の主装置１０および電話機２０の機能構成を示すブロック図である。
【００３１】
図示する主装置１０は、動作管理タイマ１５を有する点において、図２に示す主装置１０と異なる。動作管理タイマ１５には、各電話機毎に、省電力動作モードの開始時間および終了時間があらかじめ設定されている。動作管理タイマ１５は、電話機毎に、当該電話機の省電力動作モード開始時間になると、当該電話機を省電力動作モードへ移行するための省電力動作モード開始通知を、省電力制御部１２に送出し、当該電話機の省電力動作モード終了時間になると、当該電話機を通常動作モードへ移行するための省電力動作モード終了通知を、省電力制御部１２に送出する。
【００３２】
なお、動作管理タイマ１５に、各電話機毎の個別の開始時間および終了時間ではなく、全ての電話機に共通の開始時間および終了時間が設定されている場合には、動作管理タイマ１５は、当該開始時間になると全ての電話機を省電力動作モードへ移行するための省電力動作モード開始通知を省電力制御部１２に送出し、当該終了時間になると全ての電話機を通常動作モードへ移行するための省電力動作モード終了通知を省電力制御部１２に送出する。
【００３３】
省電力制御部１２は、動作管理タイマ１５からの省電力動作モード開始通知を受け付けて、当該通知で指定された電話機２０への給電を最小限にするように給電回路１３に指示するとともに、連動制御部１４に当該電話機２０を省電力動作モードに移行するように通知する。連動制御部１４は、当該電話機２０に対してあらかじめ設定された省電力動作モードでの処理を提供するように主装置処理部１１に指示する。
【００３４】
図５は、主装置１０側の制御により、通常動作モードから省電力動作モードに移行し、さらに省電力動作モードから通常動作モードに移行する動作シーケンス図である。
【００３５】
主装置１０の動作管理タイマ１５は、各電話機毎に、あらかじめ設定された省電力動作モードの開始時間になると、当該電話機２０を省電力動作モードに移行するための省電力動作モード開始通知を省電力制御部１２に送出する（Ｓ３１）。これにより、省電力制御部１２は、動作管理タイマ１５から通知された電話機２０に、省電力動作モード移行通知を送信し（Ｓ３２）、当該電話機２０の省電力制御部２２は、省電力モード移行応答を主装置１０に送信する（Ｓ３３）。Ｓ３３の応答を送信した電話機２０の省電力制御部２２は、電話機２０を省電力動作モードに移行する（Ｓ３６）。すなわち、主装置１０からの通常動作モードへの移行通知を受信し応答、または当該電話機２０に入力される通常動作モードへの移行操作の検出など、通常動作モードへの移行に必要な最小限の動作のみ行う。
【００３６】
主装置１０の省電力制御部１２は、Ｓ３３で省電力動作モード移行応答を受信した後、給電回路１３を制御して、当該電話機２０へ給電をあらかじめ定めた最小限の電力に低減する（Ｓ３４）。これにより、給電回路１３は、所定の最低限の電力を当該電話機２０に供給する。
【００３７】
また、主装置１０の連動制御部１４は、当該電話機２０に対してあらかじめ設定された省電力動作モードにおける省電力動作を、当該電話機２０に対して行うように主装置処理部１１に指示し、これにより省電力動作モードへ移行する（Ｓ３５）。例えば、当該電話機２０への着信を、留守番電話（ボイスメール）、または所定の他の電話機に転送するように指示することが考えられる。
【００３８】
Ｓ３１からＳ３６までの処理により、当該電話機２０は省電力モードで動作し、主装置１０も当該電話機２０に対しては省電力動作モード（最小限の給電、所定の省電力動作）で動作する（Ｓ３７）。
【００３９】
この省電力動作モードにおいて、主装置１０の動作管理タイマ１５は、各電話機毎に、あらかじめ設定された省電力動作モードの終了時間になると、当該電話機２０を通常動作モードに移行するための省電力動作モード終了通知を省電力制御部１２に送出する（Ｓ３８）。これにより、省電力制御部１２は、動作管理タイマ１５から通知された電話機２０に、通常動作モード移行通知を送信し（Ｓ３９）、当該電話機２０の省電力制御部２２は、通常動作モード移行応答を主装置１０に送信する（Ｓ４０）。
【００４０】
Ｓ４０の応答を送信した当該電話機２０の省電力制御部２２は、電話機２０を通常動作モードに移行する（Ｓ４３）。すなわち、当該電話機２０の電話機処理部２１は、一般的な電話機の通常動作を行う。
【００４１】
主装置１０の省電力制御部１２は、給電回路１３を制御することにより、当該電話機２０への給電を、Ｓ３４の最低限の電力量から通常の電力量に戻す（Ｓ４１）。また、主装置１０の連動制御部１４は、当該電話機２０に対して通常動作モードにおける処理を提供するように主装置処理部１１を指示し、通常動作モードへ移行する。（Ｓ４２）。
【００４２】
以上Ｓ３８からＳ４３までの処理により、当該電話機２０は通常動作モードで動作し、主装置１０も当該電話機２０に対して通常動作モードで動作する（Ｓ４４）。
【００４３】
なお、図３は、電話機２０側の操作指示により、通常動作モードから省電力動作モード、さらに通常動作モードに移行する動作シーケンスを示し、図５は、主装置側の制御により、通常動作モードから省電力動作モード、さらに通常動作モードに移行する動作シーケンスを一例として示したが、これに限定されない。例えば、電話機２０側の操作指示により、通常動作モードから省電力動作モードに移行した後、主装置１０側（動作管理タイマ１５）の制御により省電力動作モードから通常動作モードに移行することとしてもよい。また、主装置１０側（動作管理タイマ１５）の制御により通常動作モードから省電力動作モードに移行した後、電話機２０側の操作指示により省電力動作モードから通常動作モードに移行することとしてもよい。
【００４４】
図６は、省電力動作モード時の主装置１０の動作フローである。
【００４５】
省電力動作モード時において、主装置１０の主装置処理部１１は、着信等の機能提供イベントが発生した際（Ｓ５１）、当該イベントが省電力動作モードの電話機２０へのイベントか否かを判別する（Ｓ５２）。すなわち、主装置処理部１１は、図３のＳ１５または図５のＳ３５で、連動制御部１４により省電力動作を行うように指示された電話機２０に対するイベントか否かを判別する。
【００４６】
省電力動作モードの電話機へのイベントでない場合（Ｓ５２：ＮＯ）、主装置処理部１１は、当該イベントに対して通常のボタン電話機として機能（当該電話機に発呼するなど）を提供する（Ｓ５５）。一方、省電力動作モードの電話機へのイベントであった場合（Ｓ５２：ＹＥＳ）、主装置処理部１１は、当該電話機用の省電力動作モード時の省電力動作が主装置１０内の記憶部（不図示）にあらかじめ設定されている場合は（Ｓ５３：ＹＥＳ）、設定されている省電力動作を行う（Ｓ５４）。一方、当該電話機用の省電力動作が記憶部に設定されていない場合（Ｓ５３：ＮＯ）、留守番電話（ボイスメール）に転送するなどの所定の省電力動作を行う（Ｓ５５）。
【００４７】
以上説明した本実施形態のボタン電話システムでは、電話機側での操作により電話機を省電力動作モードに移行させ、あるいは、あらかじめ設定された省電力動作モードの時間帯に主装置から電話機への給電を最小限にすることにより、消費電力を軽減することができる。すなわち、ユーザの通話の機会を損なうことなく、ユーザが使用していない状態での電話機の消費電力を削減することができる。
【００４８】
また、本実施形態では、電話機側での操作により省電力動作モードに移行した場合、あるいは、あらかじめ設定された省電力動作モードの時間帯に、あらかじめ設定した省電力動作を主装置が電話機に提供する。これにより、ユーザは、留守番電話や転送電話等の設定操作を行う必要がなく、ユーザの利便性をより向上させることができる。また、省電力動作モードにおいては、電話機への給電を最小限にするとともに、当該電話機への着信を行うことなく、主装置が所定の省電力動作（留守番電話や他の電話機への転送）を行うため、ユーザの電話利用の機会を損なう問題は発生しない。
【００４９】
また、本実施形態では、電話機に省電力ＯＮ／ＯＦＦボタンを設ける、またはディスプレイを格納／展開するなどして、電話機側での操作により、ユーザが省電力動作モードへの移行指示を容易に行うことができる。
【００５０】
なお、本発明は上記実施形態に限定されるものではなく、その要旨の範囲内で数々の変形が可能である。
【符号の説明】
【００５１】
１０   主装置
１１   主装置処理部
１２   省電力制御部
１３   給電回路
１４   連動制御部
１５   動作管理タイマ
２０   電話機
２１   電話機処理部
２２   省電力制御部
２Ａ   ディスプレイ
２Ｂ   省電力ＯＮ／ＯＦＦボタン
【図１】
2011124768.tif 000003
【図２】
2011124768.tif 000004
【図３】
2011124768.tif 000005
【図４】
2011124768.tif 000006
【図５】
2011124768.tif 000007
【図６】
2011124768.tif 000008